(57)【特許請求の範囲】
【請求項１】
集合住宅を構成する複数の住戸それぞれに引き込まれる第一のガス管と接続し、前記集合住宅外に延びる第二のガス管を交換するガス管交換工事方法において、
前記第二のガス管を前記第一のガス管から切り離して古いガス管から新しいガス管に交換し、前記第一のガス管に接続する各住戸ごとの複数のガスメータすべてのうち前記新しいガス管に最も近い第一のガスメータにおける前記第一のガス管との接続部分のみで、前記新しいガス管内の空気を抜くための空気パージを実施し、他のガスメータにおける前記第一のガス管との接続部分では、空気パージを実施しないことを特徴とするガス管交換工事方法。
【請求項２】
請求項１において、
前記最も近いガスメータの住戸が工事当日に不在の場合、当該ガスメータに代わって、工事当日に在宅である住戸のガスメータのうち、前記新しいガス管に最も近いガスメータと前記第一のガス管との接続部分のみで、前記新しいガス管内の空気を抜くための空気パージを実施し、他のガスメータにおける前記第一のガス管との接続部分では、空気パージを実施しないことを特徴とするガス管交換工事方法。
【請求項３】
請求項１又は２において、
前記集合住宅が複数の第一のガス管を有する場合、各第一のガス管ごとに、各第一のガス管に接続する複数のガスメータであって、工事当日に在宅である住戸のガスメータのうち、前記新しいガス管に最も近いガスメータと前記第一のガス管との接続部分のみで、前記新しいガス管内の空気を抜くための空気パージを実施し、他のガスメータにおける前記第一のガス管との接続部分では、空気パージを実施しないことを特徴とするガス管交換工事方法。
【請求項４】
請求項１乃至３のいずれかにおいて、
前記第二のガス管を前記第一のガス管から切り離す時間が所定時間以上の場合、前記第一のガスメータの上階にあるガスメータのうち前記新しいガス管に最も近い第二のガスメータにおける前記第一のガス管との接続部分でも、さらに空気パージを実施することを特徴とするガス管交換工事方法。
【発明の詳細な説明】
【０００１】
【発明の属する技術分野】
本発明は、ガス管の交換工事方法に関し、特に、ガス管の交換後において、取り替えられた新しいガス管内の空気を抜く空気パージ処理について、空気パージ後の各住戸内のガス機器の点火試験を簡略化することができるガス管交換工事方法に関する。
【０００２】
【従来の技術】
図４は、従来におけるガス交換工事方法を説明する図である。図４に示されるように、道路の地下などに埋設されるメイン管１から、灯外管２が地中で集合住宅１０に延び、灯外管２は、集合住宅直下でパイプシャフト内の立管３ａと接続している。図示される場合のように、集合住宅に複数のパイプシャフトが配設されている場合は、灯外管２はそれぞれのパイプシャフト内の立管３ａと接続している。各パイプシャフト内の立管３ａからは、集合住宅を構成する複数の住戸それぞれに対して、分岐管３ｂがガスメータＭを介して各住戸内に引き込まれている。
【０００３】
メイン管１とパイプシャフト内の立管３ａをつなぐ灯外管２については、経年劣化が進んだ場合に、交換工事を行っている。この灯外管交換工事では、工事前に、まず、灯外管２を引き込む集合住宅の各住戸に対して、事前に工事の施工と当日工事完了時点での在宅をチラシなどで依頼する。そして、工事当日、古い灯外管２を新しい灯外管２に交換した後、あらかじめ選定された箇所において、新しい灯外管内の空気を抜く処理（空気パージ）を実施する。
【０００４】
空気パージ箇所Ｐは、各パイプシャフトごとに複数箇所選定され、例えば、交換した灯外管２に最も近い（最上流）ガスメータや最も遠い（最下流）ガスメータ、その間のガスメータなど複数のガスメータが任意に選択される。そして、選択された各ガスメータについて、各パイプシャフト内の立管３ａから分岐する分岐管３ｂとガスメータＭとの接続箇所をはずし、そこから空気を抜く作業が行われる。その後、全住戸において、集合住宅内のガス管（パイプシャフト内の立管３ａ及び分岐管３ｂを含む）内の残留空気によるガス機器の燃焼不良及び立ち消えを防止するために、工事関係者（ガス会社担当者を含む）が各住戸を訪問し、住戸内のガス機器の点火試験を行っている。
【０００５】
このとき、不在の住戸については、工事関係者は、特定の時間まで住人の帰宅を待ち、それ以降は、「ガス機器使用前のガス会社への連絡、ガス会社による点火試験実施」を依頼するチラシを配付し、ガス会社の宿直者に業務を引き継ぐ。ガス会社の宿直者は、不在であった住人から連絡を受けると、随時、点火試験のためにその住戸に出動し、全戸についての点火試験を実施する。
【０００６】
【発明が解決しようとする課題】
しかしながら、工事当日の在宅を依頼するチラシを配付しても、実際は不在宅が相当数あり、特定時間（例えば、工事当日の夜１９時）内に全戸の点火試験を完了することは非常に困難であった。従って、不在者宅要員（ガス会社の宿直者）の負担及びそのコストの増大を招き、また、工事の効率化を阻害していた。また、近年における生活時間の多様化により、不在宅者が相当数いることを前提としたガス管交換工事方法が求められている。
【０００７】
そこで、本発明の目的は、ガス管交換工事における安全性を担保しつつ、集合住宅の各住戸のガス機器の点火試験を簡略化することができるガス管交換工事方法を提供することにある。
【０００８】
【課題を解決するための手段】
上記目的を達成するために、本発明のガス管交換工事方法では、メイン管と集合住宅のパイプシャフト内の立管をつなぐ灯外管の交換後、灯外管とパイプシャフト内の立管との接続位置に最も近い（最上流）ガスメータ部分だけで空気パージを実施する。
【０００９】
最上流のガスメータ部分で空気パージを実施することにより、集合住宅内のガス管内の残留空気がほとんどない状態となり、空気パージを実施したガスメータ以外のガスメータの住戸についての点火試験が不要となる。
【００１０】
例えば、上記目的を達成するための本発明のガス管交換工事方法は、集合住宅を構成する複数の住戸それぞれに引き込まれる少なくとも一つの第一のガス管（パイプシャフト内の立管）と接続し、前記集合住宅外に延びる第二のガス管（灯外管）を交換するガス管交換工事方法において、
前記第二のガス管を前記第一のガス管から切り離して古いガス管から新しいガス管に交換し、
前記第一のガス管に接続する各住戸ごとの複数のガスメータすべてのうち前記新しいガス管に最も近い第一のガスメータにおける前記第一のガス管との接続部分から、前記新しいガス管内の空気を抜くための空気パージを実施することを特徴とする。
【００１１】
なお、前記最も近いガスメータの住戸が、工事当日に不在の場合、工事当日に在宅である住戸のガスメータのうちで、前記新しいガス管に最も近いガスメータと前記第一のガス管との接続部分で、前記新しいガス管内の空気を抜くための空気パージが実施される。
【００１２】
そして、前記空気パージ実施後、前記最も近いガスメータに対応する住戸内にあるガス機器の点火試験については、必ず工事関係者により実施する。
【００１３】
そして、前記最も近いガスメータ以外のガスメータに対応する住戸内にあるガス機器の点火試験については、当該各住戸の住人に実施してもらうよう依頼し、工事関係者は実施しない。
【００１４】
または、前記最も近いガスメータ以外のガスメータに対応する住戸内にあるガス機器の点火試験については、特定の時刻が経過するまでに在宅の住戸に対しては、工事関係者が実施し、特定の時刻が経過しても不在の住戸に対しては、当該各住戸の住人に依頼するようにしてもよい。
【００１５】
なお、前記集合住宅が複数の第一のガス管を有する場合、各第一のガス管ごとに、各第一のガス管に接続する複数のガスメータであって、工事当日に在宅である住戸のガスメータのうち、前記新しいガス管に最も近いガスメータと前記第一のガス管との接続部分で、前記新しいガス管内の空気を抜くための空気パージが実施される。
【００１６】
また、前記第二のガス管を前記第一のガス管から切り離す時間が所定時間以上の場合、前記第一のガスメータの上階にあるガスメータのうち前記新しいガス管に最も近い第二のガスメータにおける前記第一のガス管との接続部分でも、さらに空気パージを実施するようにしてもよい。
【００１７】
【発明の実施の形態】
以下、本発明の実施の形態について説明する。しかしながら、本発明の技術的範囲が、本実施の形態に限定されるものではない。
【００１８】
図１は、本発明の実施の形態におけるガス管交換工事方法の概略を説明する図である。本発明の実施の形態におけるガス管交換工事方法では、メイン管１と集合住宅１０のパイプシャフト内の立管３ａをつなぐ灯外管２の交換後、新しい灯外管２内の空気を抜くための空気パージ箇所を、灯外管２とパイプシャフト内の立管３ａとの接続位置に最も近い（最上流）ガスメータ部分（図１の位置Ｐ１）とする。
【００１９】
発明者らは、以下に詳述するように、最上流ガスメータＭと分岐管３ｂとの接続部分（以下、ガスメータ部分という場合ある）から空気パージを実施することにより、それより下流（灯外管からより遠くに離れる方向であって、パイプシャフト内の立管３ａに沿った上階方向を含む）の集合住宅内のガス管（パイプシャフト内の立て管３ａや分岐管３ｂを含む）内に空気がほとんど残留しないことを見いだした。
【００２０】
そして、このことから、その最上流ガスメータ部分、すなわち、分岐管３ｂとそのガスメータＭとをはずした箇所だけで空気パージ作業を行い、その後、その最上流ガスメータの住戸については、工事関係者（ガス会社担当者）が、必ずガス機器の点火試験を実施し、それ以外の住戸については、必ずしも工事関係者による点火試験を必要としないガス管交換工事方法を考案した。
【００２１】
空気パージを実施したガスメータについては、空気パージ実施のために、ガスメータＭを分岐管３ｂからはずすので、そこからガスメータ内に空気が混入する可能性があり、そのガスメータＭの住戸内でのガス機器の点火試験が必ず必要である。一方、集合住宅におけるそれ以外の住戸のガスメータについては、空気パージを行わず、また、集合住宅内のガス管内の残留空気もほとんどないことから、当該他の住戸でのガス機器の立ち消えの確率がゼロに近いため、チラシなどで、住人自身により点火試験を依頼することとした。
【００２２】
このように、本発明の実施の形態におけるガス管交換工事方法によれば、灯外管の交換後の空気パージを灯外管に最も近いガスメータ（最上流ガスメータ）部分だけで行うことにより、それより下流のガス管（特に、パイプシャフト内の立管及び分岐管）内の残留空気がほとんどない状態となることから、複数箇所で空気パージを実施する必要がなくなり、さらに、最上流ガスメータの住戸以外の住戸での工事関係者による点火試験が不要となる。これにより、工事関係者による点火試験の負担が大幅に軽減され、工事の効率化、人件費の低減を図ることができる。
【００２３】
以下に、本発明の実施の形態のガス管交換工事方法の空気パージ作業を実施し、全戸で点火試験を実施したときの調査結果について説明する。
【００２４】
調査内容
（１）対象：原則としてガスメータ数１５個以上の鉄筋系集合住宅
（２）方法：灯外管交換後、各集合住宅の各パイプシャフトに対して、最上流のガスメータ部分から空気パージを実施した後、全戸について点火試験を実施し、その際の燃焼炎の状態を観察した。
（３）調査件数：建物数１９０棟、パイプシャフト数６６０本、ガスメータ数５４２０個
（４）調査結果
【００２５】
【表１】
0003765735.tif 000002
【００２６】
（５）検証結果：空気パージのためにガスメータとガス管とを取り外した住戸では、94.5%の確率で点火試験時に燃焼炎の立ち消えが観察されたが、それ以外の取り外さなかったガスメータについては、立ち消えは皆無であった。このように、空気パージを実施しなかった大部分のガスメータの住戸については、立ち消えは発生せず、住人自身による点火試験で十分に安全を担保できることが確認できた。
【００２７】
次に、撤去予定建物を利用したガス分析試験による調査結果について説明する。
【００２８】
調査内容
（１）対象：鉄筋４階建て（総戸数２４戸、うち１戸は休止）、灯外管口径50A及び40A
（２）内容：図２のガス管図において、パイプシャフトＡ、Ｃについては、交換された灯外管に最も近い最上流ガスメータ、パイプシャフトＢについては、最下流ガスメータを空気パージ箇所Ｐに選択し、空気パージを実施した。空気パージ実施後、図２に示される各サンプリング位置Ｓからガスをサンプリングして、ガスクロマトグラフィ法によりその組成分析を実施した。また、ガスのサンプリング後、各住戸で点火試験を実施した。
（３）分析結果：図２の各サンプリング位置に、そこでサンプリングされたガスの濃度を示した。
（４）検証結果：空気パージ後、図２の各位置でのガス組成分析結果では、いずれのサンプリング位置でも、ガス濃度は、８０％以上あり、正常な燃焼を維持するのに十分なガス組成であった。ただし、最上流ガスメータで空気パージを実施したパイプシャフトＡ、Ｃにおけるガス濃度は、図示されるように、全サンプリング位置でガス濃度９０％であって、さらにほぼ半数が９９％以上であり、ほとんど残留空気がないことが確認された。これに対して、パイプシャフトＢにおけるガス濃度は、正常な燃焼を維持するのに必要な濃度であったが、パイプシャフトＡ、Ｃにおけるガス濃度と比較すると低い濃度であり、最上流のガスメータで空気パージを実施する方が、残留空気がより少なくなり、より好ましいことが確認された。
【００２９】
上記調査結果から、灯外管の交換後、集合住宅の各パイプシャフトそれぞれについて、最上流のガスメータ部分一箇所で空気パージを実施し、空気パージ実施後、その最上流ガスメータの住戸でのみ、工事関係者（ガス会社担当者）による点火試験を実施することとした。
【００３０】
これにより、ガス会社担当者は、集合住宅の全戸に対する点火試験を実施が不要となり、安全を担保しつつ、点火試験工程が簡略化され、工事全体の効率化、短時間化が図られる。また、全戸に対して、在宅を依頼する必要がなくなり、住人の負担も軽減することができる。
【００３１】
図３は、本発明の実施の形態におけるガス管交換工事方法の処理フローチャートである。図３において、まず、ガス管を交換する工事を実施する旨のチラシを全戸に対して配付する（Ｓ１０）。そして、ガス会社担当者が、あらかじめ、工事当日の在宅状況を聞き取り調査し（Ｓ１１）、灯外管の交換後の空気パージ箇所を決定する（Ｓ１２）。具体的には、空気パージ実施箇所は、上述のように、集合住宅のパイプシャフトごとに、交換される灯外管に最も近い最上流のガスメータ部分であるが、在宅状況調査において、その最上流ガスメータの住戸の住人が、工事当日に在宅であれば、その最上流ガスメータを空気パージ箇所に決定する。一般には、最上流ガスメータは、集合住宅の一階におけるパイプシャフトに隣接する住戸のガスメータとなる。また、最上流ガスメータの住戸の住人が工事当日に不在の場合は、在宅する住戸のガスメータうちで灯外管に最も近いガスメータを、空気パージ箇所に決定する。
【００３２】
なお、空気パージ箇所に決定されたガスメータの住戸には、空気パージ実施後、その住戸内で点火試験を実施する旨を伝えておく。
【００３３】
工事当日、灯外管をメイン管から切り離して古い灯外管から新しい灯外管に交換する（Ｓ１３）。そして、灯外管の交換後、上記ステップＳ１２で決定した空気パージ箇所であるガスメータ部分で空気パージを実施する（Ｓ１４）。
【００３４】
空気パージ実施後、ステップＳ１５において、空気パージを実施したガスメータの住戸に対しては、必ず工事関係者による点火試験を実施する必要があるので、特定の時刻（例えば工事当日の１９時）までは（Ｓ１６）、工事関係者であるガス会社担当者が、その空気パージ実施ガスメータの住戸の住人の在宅を確認して（Ｓ１７）、ガス機器の点火試験を実施する（Ｓ１８）。ステップＳ１１において、事前に空気パージ実施ガスメータのガス需要者の工事当日の在宅を確認していたが、その後の予定変更や急用などで、不在になる可能性もある。従って、特定時刻を過ぎても、その住人が不在の場合は、「ガス機器使用前のガス会社への連絡、ガス会社による点火試験実施」を依頼するチラシを配付し（Ｓ１９）、工事関係者となるガス会社の宿直者に業務を引き継ぐ（Ｓ２０）。ガス会社の宿直者は、不在であった住人から連絡を受けると、点火試験のためにその住戸に出動し、点火試験を実施する。
【００３５】
一方、ステップＳ１５において、空気パージを実施していない他のガスメータの住戸に対しては、必ずしも、工事関係者による点火試験は必要ないが、図３の実施の形態では、特定時刻までに在宅している住戸については（Ｓ２１、Ｓ２２）、工事関係者による点火試験を実施する（Ｓ２３）。
【００３６】
特定時刻を過ぎても不在の住人に対しては、住人自身による点火試験を依頼するチラシを配付し（Ｓ２４）、工事関係者は、点火試験を実施しない。
【００３７】
こうして、特定時刻を過ぎても不在の住人に対しては、点火試験をする必要がなくなるので、工事関係者の負担が著しく軽減され、工事コストの低減にも寄与する。
【００３８】
なお、上記実施の形態において、灯外管２の交換時においては、通常、古い灯外管をパイプシャフト内の立管３ａから切断して切り離してから、パイプシャフト内の立管を新しい灯外管に接続するまで、立管内に空気が混入するのを防止するために、立管３ａの切断面にはキャップがはめられる。
【００３９】
このとき、古い灯外管の切断に手間取るなどして、灯外管を切断するのに時間がかかり、パイプシャフト内の立管３ａの切断面からの空気の混入が比較的多いと判断される場合は、すべてのガスメータのうちで灯外管に最も近いガスメータ部分（すなわち、最上流ガスメータ部分）に加えて、さらにその上階において灯外管に最も近いガスメータ（以下、上流ガスメータという）部分が、別の空気パージ箇所として選択され、空気パージが実施されてもよい。空気の混入が多い場合は、空気が上階部分まで達している場合があるからである。
【００４０】
上階において空気パージを実施するかどうかは、例えば、切断時間により判定される。切断時間があらかじめ決められた第１の時間より短い場合は、上階における空気パージを実施する必要はなく、最上流ガスメータ部分のみで空気パージが実施され、第１の時間以上の場合に、次の上階部分における上流ガスメータ部分での空気パージが実施される。
【００４１】
さらに、切断時間が第１の時間より長い第２の時間以上の場合は、さらに多くの空気が混入したと判断して、更なる上階部分における上流ガスメータ部分での空気パージが実施されてもよい。すなわち、切断時間に応じて、最上流ガスメータ部分に限らず、各階の上流ガスメータ部分で空気パージを実施するかどうかが判定される。上階においても、上流ガスメータ部分で空気パージを実施することで、より下流のガスメータ部分で空気パージする場合と比較して、集合住宅内ガス管内の残留空気をより少なくすることができ、より高い安全性を担保することができる。
【００４２】
本発明の保護範囲は、上記の実施の形態に限定されず、特許請求の範囲に記載された発明とその均等物に及ぶものである。
【００４３】
【発明の効果】
以上、本発明によれば、集合住宅についてのガス管交換工事において、ガス管交換後の空気パージ実施後、全戸について点火試験を実施しなくとも、安全を担保できる空気パージ箇所を選択するので、工事の効率化、低コスト化が図られる。また、空気パージを実施するガスメータの住戸の住人以外に対しては、工事当日の在宅を依頼する必要がないので、住人の負担を軽減させることができる。
【図面の簡単な説明】
【図１】本発明の実施の形態におけるガス管交換工事方法の概略を説明する図である。
【図２】建物内のガス管におけるサンプリング位置とそのガス濃度を示す図である。
【図３】本発明の実施の形態におけるガス管交換工事方法の処理フローチャートである。
【図４】従来におけるガス交換工事方法を説明する図である。
【符号の説明】
１  メイン管
２  灯外管
３ａ  立管
３ｂ  分岐管
Ｍ  ガスメータ
【図１】
0003765735.tif 000003
【図２】
0003765735.tif 000004
【図３】
0003765735.tif 000005
【図４】
0003765735.tif 000006